(57)【要約】  【課題】家具や什器等の物品にぶつかった場合でも大きな音が生じ難く、内部に収容されるカードを外部からの衝撃に対して一定程度保護し得るカードケースや、カードケースを支持するフック等を提供する。  【解決手段】カードケースＣを、透明の軟質樹脂により形成され内部にカードＫを収容可能な収容空間ｓｐを有した袋状のケース本体１と、硬質樹脂により形成され収容空間ｓｐに配されたプレート部材２とを具備するものとした。また、当該カードケースＣを支持するフックＨ、当該カードケースＣとフックＨを有したカードホルダＢ、及び、当該カードホルダＢのフックＨに紐Ｓを取り付けてなる紐付きカードホルダＡを提供する。【選択図】図３
2014134228.tif 000002
【特許請求の範囲】
【請求項１】
透明の軟質樹脂により形成され内部にカードを収容可能な収容空間を有した袋状のケース本体と、硬質樹脂により形成され前記収容空間に配されたプレート部材とを具備してなることを特徴とするカードケース。
【請求項２】
前記収容空間が、複数枚のカードを収容可能な大きさに設定されている請求項１記載のカードケース。
【請求項３】
前記プレート部材の縦横寸法が、前記収容空間に収容されるべき前記カードの縦横寸法よりも大きく設定されている請求項１又は２記載のカードケース。
【請求項４】
請求項１、２又は３記載のカードケースを支持するためのフックであって、
前記カードケースに係わり合って支持する支持部と片持梁状に突設され吊り下げ用の紐を引っ掛けるための紐掛部とを有したフック本体と、前記フック本体の基端部から連続して設けられ前記紐を挿通可能な挿通孔を有するとともに前記支持部に当接可能に構成されたフックレバーとを備え、これらフック本体とフックレバーとが樹脂により一体に形成されたものであり、
前記フックレバーが、前記支持部に当接して前記カードケースの離脱を禁止し得る通常位置と、前記紐掛部と前記挿通孔との間の隙間を樹脂の弾性変形を利用して拡張可能な拡張可能位置との間で移動可能に構成されていることを特徴とするフック。
【請求項５】
前記挿通孔が、前記紐掛部の上方及び前方に対応する部位に連続して形成されている請求項４記載のフック。
【請求項６】
引っ掛け対象物に掛け止めするための掛け止め部を備えている請求項４又は５記載のフック。
【請求項７】
請求項１、２又は３記載のカードケースと、前記カードケースを吊り下げて支持するフックとを備えてなることを特徴とするカードホルダ。
【請求項８】
請求項７に記載のカードホルダのフックに吊り下げ用の紐を取り付けていることを特徴とする紐付きカードホルダ。
【発明の詳細な説明】
【技術分野】
【０００１】
本発明は、名刺や従業員のＩＤカード等のカードを収容して外部に表示させるためのカードケース、このカードケースを支持するフック、これらカードケースとフックを有したカードホルダ、当該カードホルダのフックに紐を取り付けてなる紐付きカードホルダに関する。
【背景技術】
【０００２】
従来から、名刺や従業員のＩＤカード等のカードを収容して外部に表示させるためのカードケースが知られている（例えば、特許文献１を参照）。この種のカードケースには、軟質樹脂により形成されたいわゆるソフトタイプのものや、硬質樹脂により形成されたいわゆるハードタイプのものが存在する。
【０００３】
従来のソフトタイプのカードケースは、軟質樹脂により形成されているため、軽量であり、家具や什器等の物品にぶつかった場合でも大きな音が生じないという利点がある。しかしながら、従来のものでは、従業員のＩＤカードに代表される硬質のカードを内部に収容した場合に、当該硬質のカードを外部からの衝撃に対して保護するには一定の限界があった。また、従来のものは、搬送時や保管時等において、曲がったり折れたりし易く所期の形状を好適に保持することができるものではなかった。
【０００４】
一方で、従来のハードタイプのカードケースは、硬質樹脂により形成されているため、前述した硬質のカードを内部に収容した場合に、外部からの衝撃に対して適切な保護ができるという利点がある。しかしながら、従来のものでは、使用者に相応の重量感を与えるものとなっているとともに、家具や什器等の物品にぶつかった場合には大きな衝撃音が発生するものとなっていた。更に、ハードタイプのカードケースは、硬質樹脂により形状が明確に規定されてしまうため、適切に収容することができるカードの仕様や枚数が限定的になり易いものとなっていた。
【０００５】
近時、セキュリティ対策の一環として硬質のカードであるＩＤカード等が広く普及しており、名刺等の比較的軽量で軟質のカードのみならず、ＩＤカード等の硬質のカードにもそれぞれ好適に対応し得るカードケース、換言すれば、ソフトタイプのカードケース、及び、ハードタイプのカードケースのそれぞれの利点を持ち備えたカードケースの登場が望まれている。
【０００６】
以上の事情は、カードケースを支持するフック、カードケースとフックを有したカードホルダ、当該カードホルダのフックに紐を取り付けてなる紐付きカードホルダについても同様である。
【先行技術文献】
【特許文献】
【０００７】
【特許文献１】特開２０１２−６７８６３号公報
【発明の概要】
【発明が解決しようとする課題】
【０００８】
本発明は、以上のような事情に着目してなされたもので、少なくとも、家具や什器等の物品にぶつかった場合でも大きな衝撃音が生じ難く、内部に収容されるカードを外部からの衝撃に対して一定程度保護し得るカードケースを提供することにある。
【０００９】
更に、本発明は、当該カードケースを支持するフック、当該カードケースとフックを有したカードホルダ、及び、当該カードホルダのフックに紐を取り付けてなる紐付きカードホルダを提供することを目的とする。
【課題を解決するための手段】
【００１０】
すなわち、本発明は次の構成をなしている。
【００１１】
請求項１に記載のカードケースは、透明の軟質樹脂により形成され内部にカードを収容可能な収容空間を有した袋状のケース本体と、硬質樹脂により形成され前記収容空間に配されたプレート部材とを具備してなるものである。
【００１２】
ここで、「透明」とは、透き通っているものであればよく、光を透過させて看者が視認可能な半透明を含む概念である。また、透明は、無色であっても有色であっても良い。要するに、「透明」とは、ケース本体の内部に収容されたカードを、ケース本体の外部から視認可能にするものであれば良い。
【００１３】
請求項２に記載のカードケースは、請求項１に係る構成において、前記収容空間が、複数枚のカードを収容可能な大きさに設定されているものである。
【００１４】
請求項３に記載のカードケースは、請求項１又は２に係る構成において、前記プレート部材の縦横寸法が、前記収容空間に収容されるべき前記カードの縦横寸法よりも大きく設定されているものである。
【００１５】
請求項４に記載のフックは、請求項１、２又は３記載のカードケースを支持するためのものであって、前記カードケースに係わり合って支持する支持部と片持梁状に突設され吊り下げ用の紐を引っ掛けるための紐掛部とを有したフック本体と、前記フック本体の基端部から連続して設けられ前記紐を挿通可能な挿通孔を有するとともに前記支持部に当接可能に構成されたフックレバーとを備え、これらフック本体とフックレバーとが樹脂により一体に形成されたものであり、前記フックレバーが、前記支持部に当接して前記カードケースの離脱を禁止し得る通常位置と、前記紐掛部と前記挿通孔との間の隙間を樹脂の弾性変形を利用して拡張可能な着脱位置との間で移動可能に構成されているものである。
【００１６】
請求項５に記載のフックは、請求項４に係る構成において、前記挿通孔が、前記紐掛部の上方及び前方に対応する部位に連続して形成されているものである。
【００１７】
請求項６に記載のフックは、請求項４又は５に係る構成において、引っ掛け対象物に掛け止めするための掛け止め部を備えているものである。
【００１８】
ここで、「引っ掛け対象物」は、掛け止め部が係わり合うものであればどのようなものであっても良い。
【００１９】
請求項７に記載のカードホルダは、請求項１、２又は３記載のカードケースと、前記カードケースを吊り下げて支持するフックとを備えてなるものである。
【００２０】
請求項８に記載の紐付きカードホルダは、請求項７に記載のカードホルダのフックに吊り下げ用の紐を取り付けているものである。
【発明の効果】
【００２１】
以上説明したように本発明によれば、家具や什器等の物品にぶつかった場合でも大きな音が生じ難く、内部に収容されるカードを外部からの衝撃に対して一定程度保護し得るカードケースを提供することができる。
【００２２】
また、本発明によれば、当該カードケースを支持するフック、当該カードケースとフックを有したカードホルダ、及び、当該カードホルダのフックに紐を取り付けてなる紐付きカードホルダを提供することができる。
【図面の簡単な説明】
【００２３】
【図１】本発明の一実施形態を示す斜視図。
【図２】同実施形態における正面図。
【図３】同実施形態における斜視図。
【図４】同実施形態における斜視図。
【図５】同実施形態における側面図。
【図６】同実施形態における側面図。
【図７】図２におけるＸ−Ｘ線断面図。
【発明を実施するための形態】
【００２４】
以下、本発明の一実施形態を、図１〜７を参照して説明する。
【００２５】
この実施形態は、本発明を、内部の収容空間ｓｐに名刺やＩＤカード等のカードＫを収容可能に構成され外部にカードＫを表示させるようにしたカードケースＣを有する紐付きカードホルダＡに適用したものである。なお、図１では、カードケースＣ内に収容されたカードＫの一例として、硬質のカードである従業員用のＩＤカードを示している。
【００２６】
紐付きカードホルダＡは、カードケースＣと、このカードケースＣを支持するためのフックＨと、このフックＨに取り付けられた吊り下げ用の紐Ｓとを備えてなる。なお、カードケースＣとフックＨとによってカードホルダＢを構成している。
【００２７】
カードケースＣは、略無色透明の軟質樹脂により形成され可撓性を有し内部にカードＫを収容可能な収容空間ｓｐを有した袋状のケース本体１と、透明の硬質樹脂により形成され収容空間ｓｐに配されたプレート部材２とを具備してなるものである。カードＫは、収容空間ｓｐにおけるプレート部材２の前側、及び、後側の位置に配されるようになっている。
【００２８】
ケース本体１における収容空間ｓｐは、一般的な名刺サイズ（横９１．０ｍｍ×縦５５ｍｍ×任意の紙厚）のカードや、セキュリティカードやＩＤカードやクレジットカード等のＪＩＳ−Ｘ−６３０１準拠サイズ（縦５４．０ｍｍ×横８５．６ｍｍ×厚み０．７６ｍｍのものであり、以下、説明の便宜上「ＪＩＳカードサイズ」という。）のカードＫを収容可能な大きさに設定されている。
【００２９】
なお、名刺サイズのカードは、情報印刷物であって主として紙により作られ一定の曲げ変形が許容される名刺が代表的なものであるが、名刺に限定されるものではない。また、ＪＩＳカードサイズのカードＫは、主として硬質樹脂により作られ一般に曲げ変形が殆ど許容されない硬質プレート状のものであり、従業員等の本人認証に用いられるＩＤカードや、扉の施錠や解錠に用いられるセキュリティカードや鍵代替カード、その他、クレジットカードやキャッシュカード等が代表的なものであるが、これらに限定されるものではない。
【００３０】
ケース本体１は、一方の面板である表側の面板１１と、左右の側縁部及び下縁部を表側の面板１１における左右の側縁部及び下縁部に接続した他方の面板である裏側の面板１２と、表側の面板１１と裏側の面板１２の上縁部との間に形成された開口部ｇを閉塞するべく上縁部分を表側の面板１１に接続した蓋用の面板１３とを具備している。ケース本体１は、内部すなわち表側の面板１１と裏側の面板１２との間に、カードＫを収容可能な扁平な収容空間ｓｐを有している。
【００３１】
表側の面板１１は、正面視略矩形状をなす透明のもので、裏側の面板１２及び蓋用の面板１３に対面する表側の面板本体１１ａと、この表側の面板本体１１ａの上端から連続して設けられフックＨやその他の吊り下げ用の紐部材を通過させるための長孔ｈ１及び丸孔ｈ２を有した取付孔形成部１１ｂを備えている。取付孔形成部１１ｂは、中央及び左右の３箇所にフックＨの支持部３１が通過可能な大きさの長孔ｈ１を備え、中央の長孔ｈ１の左右２箇所に比較的小径の紐等が通過可能な大きさの丸孔ｈ２を備えている。
【００３２】
裏側の面板１２は、背面視において略矩形状をなす透明のもので、上部の外面側に蓋用の面板１３の下部を止着させるための係合用の突部ｔ１を備えている。突部ｔ１は、裏側の面板１２の幅方向と略同じ長さを有している。
【００３３】
蓋用の面板１３は、背面視において略矩形状をなす透明のもので、上縁部分が表側の面板１１における面板本体１１と取付孔形成部１１ｂとの境界部分に接続されているとともに下部が裏側の面板１２の上部に外側から重なるように配されている。蓋用の面板１３における下部の内面には裏側の面板１２に設けられた突部ｔ１に着脱可能に嵌合する凹部ｆ１を備えている。
【００３４】
プレート部材２は、透明の硬質樹脂により形成されたもので、本実施形態では厚み寸法が約１ｍｍに設定された透明板状のものである。プレート部材２は、ケース本体１とは別個に形成されている。プレート部材２の縦幅及び横幅寸法は、収容空間ｓｐに収容されるべきカードＫの縦幅及び横幅寸法よりも大きく設定されている。すなわち、プレート部材２は、ケース本体１の収容空間ｓｐに収容されることが予定されているカードＫの上下寸法及び左右寸法よりも大きな上下寸法及び左右寸法に設定されている。本実施形態のカードケースＣは、収容空間ｓｐに、名刺サイズのカード、及び、ＪＩＳカードサイズのカードＫを収容できるようにしており、当該収容空間ｓｐに配されるプレート部材２は、名刺サイズやＪＩＳカードサイズのカードＫの寸法よりも大きな寸法に設定されている。この例では、プレート部材２は、縦幅寸法（上下寸法）が５８ｍｍに設定されており、横幅寸法（左右寸法）が９３ｍｍに設定されている。プレート部材２の４箇所の角部分は丸く形成されている。
【００３５】
フックＨは、カードケースＣを着脱可能に支持するためのものである。なお、このフックＨは、物品を引っ掛けて支持するとともに引っ掛けた物品を使用過程で離脱し難いようにしたものであり、本実施形態で示した物品であるカードケースＣ以外にも、種々の物品を支持することができるものである。
【００３６】
フックＨは、カードケースＣに係わり合って支持する支持部３１と片持梁状に突設され吊り下げ用の紐Ｓを引っ掛けるための紐掛部３２とを有したフック本体３と、フック本体３の基端部から連続して設けられ紐Ｓを挿通可能な挿通孔４１を有するとともに支持部３１に当接可能に構成されたフックレバー４とを備えている。フック本体３とフックレバー４とは樹脂により一体に形成されている。また、この実施形態では、フックＨは、被服におけるポケット縁部等の引っ掛け対象物（図示せず）に掛け止めするための掛け止め部５を備え、フック本体３及びフックレバー４とともに樹脂により一体に形成されている。以下、フックＨについて詳述する。
【００３７】
フック本体３は、カードケースＣと係わり合う支持部３１と、吊り下げ用の紐Ｓと係わり合う紐掛部３２と備えている。
【００３８】
支持部３１は、カードケースＣの取付孔形成部ｂ１１に設けられた長孔ｈ１に挿通され下部のＵ字状に屈曲する部分において長孔ｈ１の開口縁と係わり合うものである。支持部３１は、短冊状の外形をなすもので、側面視において鉤型或いは釣り針状をなしたものであり、換言すれば、側面視略Ｊ字状に形成されたものである。
【００３９】
紐掛部３２は、紐Ｓと係わり合うべく凸状に形成されたもので、上下方向に延びる支持部３１の上側部分と略直交する方向に片持梁状に突出して設けられている。紐掛部３２は、支持部３１の上側部分と略直交する方向、すなわち、使用時の基本姿勢における略水平方向に延びる紐掛部本体３２ａと、紐掛部本体３２ａの先端部から下方に突設され紐Ｓの前方への移動を抑制し得る下規制部３２ｂと、紐掛部本体３２ａの先端部から上方に突設され紐Ｓの前方への移動を抑制し得る上規制部３２ｃとを備えている。紐掛部本体３２ａは、柱状のもので、その下面部分と左右の側面部分が紐Ｓに接し得るようになっている。下規制部３２ｂの下端には、紐Ｓの下方への移動を抑制し得る突出部３２ｄを備えている。上規制部３２ｃは、後述するフックレバー４の挿通孔４１によって中央側に相寄せられた紐Ｓの前方への移動を規制し得るものである。
【００４０】
フックレバー４は、通常の使用時において、フック本体３に支持されたカードケースＣ等の物品の離脱を禁止する機能を営むものである。フックレバー４は、フック本体３の基端部から連続して設けられ紐Ｓを挿通可能な挿通孔４１を有するとともに支持部３１に当接可能に構成されている。挿通孔４１は、紐掛部３２の上方及び前方に対応する部位に連続して形成されている。
【００４１】
フックレバー４は、側面視において上下を逆転させた略Ｌ字状に形成されたもので、フック本体３の支持部３１における上側部分と略直交する前方、換言すれば、紐掛部本体３２ａと略平行に延びる上壁部Ｕと、この上壁部Ｕの先端から下方に延びる前壁部Ｍとを備えている。挿通孔４１は、紐掛部３２の上方に対応する上壁部Ｕの左右方向中央部分、及び、紐掛部３２の前方に対応する前壁部Ｍの左右方向中央部分に連続して形成されたものである。すなわち、挿通孔４１は、主として使用時に紐Ｓが通過する上挿通孔構成部４１ａと、主として着脱時に紐Ｓが通過する前挿通孔構成部４１ｂとを備えている。
【００４２】
フックレバー４は、支持部３１に当接してカードケースＣの離脱を禁止し得る通常位置（Ｒ）と、紐掛部３２と挿通孔４１との間の隙間ｃｈを樹脂の弾性変形を利用して拡張可能な拡張可能位置（Ｅ）との間で移動可能に構成されている。
【００４３】
フックレバー４における通常位置（Ｒ）とは、図５等に示すように、フック本体３における支持部３１の先端部の内面部分に、フックレバー４の先端部の外面部分、すなわち、前壁部Ｍにおける先端部の外面部分を添設し得る位置であり、側面視においてフック本体３とフックレバー４とによって連続的な環を形成し得る位置である。フックレバー４が、通常位置（Ｒ）にある状態では、通常時、支持部３１と前壁部Ｍとの間に形成される物品着脱通路ｗを閉塞し、支持部３１に支持されたカードケースＣ等の物品の離脱を禁止し得るようになっている。一方で着脱時、すなわちカードケースＣ等の物品をフックＨに支持させる際、或いは、支持された物品をフックＨから離脱させる際には、フックレバー４を押圧して一時的に後方に弾性変形させることにより、フック本体３とフックレバー４との間に物品を着脱するための物品着脱通路ｗを一時的に形成し得るようになっている。
【００４４】
フックレバー４における拡張可能位置（Ｅ）とは、図６等に示すように、フック本体３における支持部３１の先端部の外面側に、フックレバー４の先端部、すなわち、前壁部Ｍにおける先端部が配される位置である。フックレバー４が、拡張可能位置（Ｅ）にあると、フックレバー４の前側に支持部３１が位置して干渉することが無い。このため、フックレバー４の先端側を前方に引き上げる操作が可能になる。そして、拡張可能位置（Ｅ）において、フックレバー４の先端側を前方に移動する操作をすると、フックレバー４は、樹脂の弾性変形によってフック本体３に対して相対移動する。その結果、フックレバー４の紐掛部３２と挿通孔４１との間の隙間ｃｈ、すなわち、紐掛部３２と挿通孔４１の側面視における隙間ｃｈを樹脂の弾性変形を利用して拡張することができるようになっている。
【００４５】
以上に説明したフックレバー４の通常位置（Ｒ）と拡張可能位置（Ｅ）との切換えは、図４に示すように、樹脂の弾性変形を利用して、前壁部Ｍの先端部がフックＨにおける支持部３１の先端部の外周を巡るようにして、フックレバー４を移動させることにより行われる。
【００４６】
掛け止め部５は、フック本体３における基端部の後部から下方に垂下するように設けられた片状のものである。掛け止め部５とフック本体３との間には、引っ掛け対象物（図示せず）が入り込む引っ掛け用隙間５１が形成されている。
【００４７】
紐Ｓは、ネックストラップとも称されるものであり、主に使用者の首に掛けて吊り下げて使用されるものである。紐Ｓは、環状をなすもので、綿や合成繊維等を編んで製造された紐本体Ｓ１を主体に構成されている。紐本体Ｓ１は、フックＨの紐掛部本体３２ａの長手寸法と略一致する幅寸法を有し、図７等に示すように２重に重なり合った状態でフックＨの挿通孔４１を通過可能な厚み寸法を有している。紐Ｓは、紐本体Ｓ１と紐本体Ｓ１の両端部に取り付けられた樹脂製の連結部材Ｓ２とを備えているものであるが、通常のものであるため詳細な説明を省略する。紐Ｓは、フックＨに対して紐Ｓを着脱する際においても環形状が保持されている。換言すれば、紐Ｓは、使用者が使用する段階では、長さ調整は可能であるが吊り下げるための環形状を容易に分解できない態様で構成されている。
【００４８】
以上説明したように、本実施形態に係るカードケースＣは、透明の軟質樹脂により形成され内部にカードＫを収容可能な収容空間ｓｐを有した袋状のケース本体１と、透明の硬質樹脂により形成され収容空間ｓｐに配されたプレート部材２とを具備してなる。このため、家具や什器等の物品にぶつかった場合でも大きな衝撃音が生じ難く、内部に収容されるカードＫを外部からの衝撃に対して一定程度保護し得るカードケースを提供することができるものとなる。
【００４９】
主要部を構成するケース本体１が透明の軟質樹脂により形成されたものであるため、従来のハードタイプのものと比較して軽量なものを実現し易いものとなる。更に、セキュリティカードやＩＤカード等の硬質のカードＫを内部に収容した場合であっても、収容空間ｓｐには硬質樹脂により形成されたプレート部材２が配されているため外部からの衝撃に対して硬質のカードＫを好適に保護し得るものとなる。
【００５０】
プレート部材２がケース本体１の収容空間ｓｐに配されているため、プレート部材２が、ケース本体１の形状が搬送や保管に伴う時間的経過に伴って変形してしまうことを好適に抑制するものとなる。すなわち、プレート部材２が、ケース本体１の所期の形状を好適に保持することができる。
【００５１】
プレート部材２が透明のものであるため、内部に収容されたカードＫの表裏両面を外部に表出させることができるものとなる。
【００５２】
ケース本体１は透明の軟質樹脂により形成されているため収容空間ｓｐの柔軟性に優れており、カードＫの仕様や枚数の増減に対して融通が利き易い、すなわち、カードＫの仕様や枚数が異なっても好適な姿勢を保持して収容し易いものとなっている。
【００５３】
収容空間ｓｐが、複数枚のカードＫを収容可能な大きさに設定されているため、例えば、名刺とＩＣカードを一緒に収容させたりプレート部材２の前後にカードＫを収容させたりと、オフィス等における現実的な使用に好適に対応したカードケースＣを提供することができる。
【００５４】
プレート部材２の縦横寸法が、収容空間ｓｐに収容されるべきカードＫの縦横寸法よりも大きく設定されているため、カードＫを外部からの衝撃に対して好適に保護し得るものとなる。
【００５５】
フックＨが、上述した構成のカードケースを支持するものであるため、上述した作用効果を奏するものとなる。
【００５６】
また、フックＨが、カードケースＣ等の物品に係わり合って支持する支持部３１と片持梁状に突設され吊り下げ用の紐Ｓを引っ掛けるための紐掛部３２とを有したフック本体３と、フック本体３の基端部から連続して設けられ紐Ｓを挿通可能な挿通孔４１を有するとともに支持部３１に当接可能に構成されたフックレバー４とを備え、フック本体３とフックレバー４とが樹脂により一体に形成されたものとなっている。そして、フックレバー４が、支持部３１に当接してカードケースＣ等の物品の離脱を禁止し得る通常位置（Ｒ）と、紐掛部３２と挿通孔４１との間の隙間ｃｈを樹脂の弾性変形を利用して拡張可能な拡張可能位置（Ｅ）との間で移動可能に構成されている。このため、フックＨに対する紐Ｓの着脱を、フックレバー４を拡張可能位置（Ｅ）に設定することにより容易に行えるものとなる。
【００５７】
つまり、拡張可能位置（Ｅ）にあるフックレバー４を前方に弾性変形させることにより、挿通孔４１と紐掛部３２の先端部である上規制部３２ｃや下規制部３２ｂとの間の隙間ｃｈが拡張することになる。この結果、紐Ｓは、通常位置（Ｒ）にある場合と異なり、フックレバー４の上壁部Ｕや前壁部Ｍによって移動を阻止されることが無く挿通孔４１と紐掛部３２との間を通過し得るものとなる。なお、図６では、取り外し過程にある紐Ｓ’を想像線で示している。
【００５８】
従来のフックでは、紐を取り付ける部分を、特開２０１２−６７８６３に示すような一対の挿通窓を通すようにしたもの等が広く知られていたが、このようなものでは紐を環状の状態を維持して着脱することができなかった。また、環状の状態で紐を着脱可能にした従来のフックでは、紐の着脱が可能であり且つ紐が抜け落ちない隙間が設定されたものであり、紐の着脱を行う際にその作業を行い易くするための構造をとるものは存在していなかった。本実施形態のフックは、かかる不具合を解消し、紐の着脱を容易に行うことができるフックを提供するものとなっている。
【００５９】
挿通孔４１が、紐掛部３２の上方及び前方に対応する部位に連続して形成されているものであるため、紐Ｓを通過させるための挿通孔４１が紐掛部３２に対応する好適な箇所に設けられるものとなる。しかも、フックレバー４における紐掛部３２の上方及び前方に対応する部位、すなわち上壁部Ｕと前壁部Ｍのそれぞれに挿通孔４１が形成されているため、弾性変形をし易いものとなり、通常位置（Ｒ）と拡張位置（Ｅ）との間の移動を無理なく行うことができるものとなる。
【００６０】
フックＨが、引っ掛け対象物に掛け止めするための掛け止め部５を備えているので、紐Ｓを介すること無く、フックＨ自体を、被服のポケット等の引っ掛け対象物に直接的に掛け止めすることができるものとなる。
【００６１】
カードホルダＢが、上述した構成のカードケースＣと、カードケースＣを吊り下げて支持するフックＨとを備えてなるものであるため、上述した作用効果を奏するものとなる。
【００６２】
紐付きカードホルダＡが、カードケースＣを備えたカードホルダＢにおけるフックＨに吊り下げ用の紐Ｓを取り付けているものであるため、上述した作用効果を奏するものとなる。
【００６３】
なお、本発明は、以上に詳述した実施形態に限られるものではない。
【００６４】
ケース本体の形状は、種々の形状を採用することができ、本実施形態に示されるものに限定されるものではない。すなわち、ケース本体は、透明の軟質樹脂により形成され内部にカードを収容可能な収容空間を有したものであれば種々の形状のものを採用することができる。例えば、ケース本体には蓋用の面板が無いものであってもよいし、開口部を上側に設けずに左右側に設けたものであってもよい。
【００６５】
プレート部材の形状は、種々の形状を採用することができ、本実施形態に示されるものに限定されるものではない。すなわち、プレート部材は、透明の硬質樹脂により形成され収容空間に配されるものであれば、種々の形状のものを採用することができる。例えば、プレート部材を、周縁部分が枠状に形成されるとともに中央部分が貫通孔に形成されたものとしてもよい。また、例えば、プレート部材を、２枚の板材を重ね合わせ一端縁でこれら板材を連結するようにし、当該２枚の板材の間に名刺等を挟み込めるものとしてもよい。
【００６６】
フックの形状は、種々の形状を採用することができ、本実施形態に示されるものには限定されるものではない。例えば、紐掛部は、片持梁状に突出したものであれば種々の形状を採用することができ、上規制部や下規制部を設けているものに限定されるものではない。すなわち、紐掛部は、単純な柱状のものであってもよいし、先端部に上規制部又は下規制部の何れか一方を設けているようなものであってもよい。
【００６７】
また、フックにおける掛け止め部は、必ずしも必須の構成ではない。
【００６８】
フックは、本実施形態においてはカードケースを支持するものとして説明しているが、カードケース以外の物品を支持することも可能である。
【００６９】
その他、各部の具体的構成についても上記実施形態に限られるものではなく、本発明の趣旨を逸脱しない範囲で種々変形が可能である。
【符号の説明】
【００７０】
１…ケース本体
２…プレート部材
３…フック本体
４…フックレバー
５…掛け止め部
３１…支持部
３２…紐掛部
４１…挿通孔
Ａ…紐付きカードホルダ
Ｂ…カードホルダ
Ｃ…カードケース
Ｈ…フック
ｃｈ…隙間
ｓｐ…収容空間
【図１】
2014134228.tif 000003
【図２】
2014134228.tif 000004
【図３】
2014134228.tif 000005
【図４】
2014134228.tif 000006
【図５】
2014134228.tif 000007
【図６】
2014134228.tif 000008
【図７】
2014134228.tif 000009